(57)【要約】【課題】カード通過者は磁気カードを通過させた後、読み取り速度が所定範囲内の速度でないため、読み取りエラーとなった場合、所定の範囲を知る情報を得られず、何回も読み取りエラーとなっていた。【解決手段】カードが通過するカード通過部と、カード通過部を通過する前記カードの情報を読み取るカード情報読取手段と、カード情報読取部が前記カードの情報を読み取ることができたか否かを判定する読取判定手段と、カード通過部を通過する前記カードの通過速度を測定するカード通過速度測定手段と、カード通過速度測定手段で測定した結果に基づき、カード通過者にカードを通過させる速度を促す情報を報知する報知手段とを備え、読取判定手段が読み取ることができなかったと判定した場合に、カード通過者にカードを通過させる速度を促す情報を報知するカード読取装置。【選択図】図１
2005122253.tif 000002
【特許請求の範囲】
【請求項１】
カードを通過させることにより前記カードの情報を読み取るカード読取装置であって、前記カードが通過するカード通過部と、前記カード通過部を通過するカードの情報を読み取るカード情報読取手段と、前記カード情報読取手段がカードの情報を読み取ることができたか否かを判定する読取判定手段と、前記カード通過部を通過するカードの通過速度を測定するカード通過速度測定手段と、前記カード通過速度測定手段で測定した結果に基づき、カード通過者にカードを通過させる速度を促す情報を報知する報知手段とを備え、前記読取判定手段がカードの情報を読み取ることができなかったと判定した場合に、カード通過者にカードを通過させる速度を促す情報を報知するカード読取装置。
【請求項２】
速度を促す情報は、所定の速度より遅かった場合には速く通す旨の情報であり、所定の速度より速かった場合には遅く通す旨の情報である請求項１記載のカード読取装置。
【請求項３】
報知手段が表示手段である請求項１または２記載のカード読取装置。
【請求項４】
報知手段が発光手段と前記発光手段に対応して設けられた文字情報とからなる請求項１または２記載のカード読取装置。
【請求項５】
報知手段が音声発生手段である請求項１または２記載のカード読取装置。
【発明の詳細な説明】
【技術分野】
【０００１】
本発明はカードを通過させることによりカードの情報を読み取るカードリーダに関するものである。
【背景技術】
【０００２】
従来のカードリーダについて、図５を用いて説明する。４は磁気カード、４ａは磁気カード４の磁気ストライプである。５はカード通過部、６は磁気ヘッド、７は磁気ヘッドと磁気ストライプ４ａを接触させてスライドさせた際に発生する電圧波形を増幅して波形整形を行い磁気カードに書き込まれたカード情報をＴＴＬ信号に変換するＬＳＩである。
【０００３】
なお、磁気カード４の読み取りの際、磁気ヘッド６により発生する電圧波形の波高値は、カードを通過させる速度が速いと大きくなり、カードを通過させる速度が遅いと小さくなるものである。
【０００４】
また、カードを自動搬送し、このカードの速度を非接触で検出しその速度に同期させてカードに対して情報の記録や再生を行うカードリーダが知られている（例えば特許文献１参照）。
【特許文献１】特開平９−１２８４９８号公報
【発明の開示】
【発明が解決しようとする課題】
【０００５】
従来のカードリーダにおいて、カードを通過させる者（以下、カード通過者と記す）が磁気ストライプ４ａとカード通過部５に取り付けられた磁気ヘッド６を接触させて磁気カード４を通過させる際、その通過速度により磁気ヘッド６の内部コイルに発生する電圧波形の波高値が変化するが、磁気カード４を通過させる速度が遅い場合、磁気ヘッド６の内部コイルに発生する電圧波形の波高値及び周波数が低くなり、低すぎると、波形整形回路において十分な波形整形が行えず、ＴＴＬ信号として取り出したデータと磁気カード４に書き込まれている磁気情報が異なってしまい、読み取りエラーとなってしまう。また、カード通過部５に取り付けられた磁気ヘッド６と磁気カード４の磁気ストライプ４ａを接触させて磁気カード４を通過させる速度が速い場合、磁気ヘッド６の内部コイルに発生する電圧波形の波高値及び周波数が高くなり、高すぎると、波形整形回路において十分な波形整形が行えず、ＴＴＬ信号として取り出したデータと磁気カード４に書き込まれている磁気情報が異なってしまい、読み取りエラーとなってしまう。そして、所定の速度外で磁気カード４の読み取りを行ったことによる読み取りエラーは、カード通過者が所定の速度を知らない場合、カード通過者が複数回磁気カード４の通過を繰り返しても所定の速度範囲内になるまで繰り返し読み取りエラーとなってしまう。また、磁気カード４の磁気が減磁されている場合、所定の速度における読み取りを行っても、磁気ヘッド６の内部コイル間に発生する電圧波形の波高値が小さいため、波形整形回路において十分な波形整形が行えず、読み取りエラーとなってしまっていた。
【０００６】
本発明は、カード通過者が磁気カードを所定の速度で通過させ、読み取り速度による読み取りエラーとなる回数を削減することを目的とする。
【課題を解決するための手段】
【０００７】
上記目的を達成するために、本発明のカード読取装置は、カードを通過させることにより前記カードの情報を読み取るカード読取装置であって、前記カードが通過するカード通過部と、前記カード通過部を通過する前記カードの情報を読み取るカード情報読取手段と
、前記カード情報読取手段が前記カードの情報を読み取ることができたか否かを判定する読取判定手段と、前記カード通過部を通過する前記カードの通過速度を測定するカード通過速度測定手段と、前記カード通過速度測定手段で測定した結果に基づき、カード通過者にカードを通過させる速度を促す情報を報知する報知手段とを備え、前記読取判定手段が読み取ることができなかったと判定した場合に、カード通過者にカードを通過させる速度を促す情報を報知するものである。
【発明の効果】
【０００８】
以上のように、本発明のカード読取装置は、カードの読み取りができなかった際に、カード通過者はカードを速く通すか、遅く通すかの情報を得ることができるので、再度カードをカード通過部に通す際にカード通過速度による読み取りエラー低減することができる。
【発明を実施するための最良の形態】
【０００９】
以下、本発明の実施の形態について図１から図４を用いて説明する。
【００１０】
（実施の形態１）
図１はカード読取装置の概要図であり、図１において、１はカード読取部、２は音声情報を発するスピーカ、３は文字情報を表示する文字情報表示装置であり液晶表示画面等を用いる。図２は図１に示すカード読取部１の内部構成を示す図であり、４は磁気カード、４ａは磁気カード４の磁気ストライプ、５は磁気カード４が通過するカード通過部、６は磁気カード４の情報の読み取りを行う磁気ヘッド、７はカード通過部５に取り付けられた磁気ヘッド６と磁気カード４の磁気ストライプを接触させて通過させた際に発生する電圧波形を増幅して波形整形を行い磁気カード４に書き込まれた磁気データをＴＴＬ信号に変換して磁気カード４に一定の間隔で書き込まれた信号（例えば２１０ビット／インチ）をクロック信号として出力するＬＳＩ、８は前記クロック信号に基づいて磁気カード４の通過速度を算出する機能と、前記磁気カード４の情報を読み取ることができたか否かを判定する判定機能と、前記判定結果に基づき磁気カード４を通過させる速度が所定の速度になるように促す情報をスピーカ２あるいは文字情報表示装置３に伝達する機能を有するＣＰＵである。そして、９はＬＳＩ７やＣＰＵ８及び周辺回路を実装した基板である。
【００１１】
なお、上記した所定の速度については、実証により読取可能な通過速度の上限速度と下限速度を求めておき、これらを記憶部（図示せず）に記憶させておく。
【００１２】
以上のように構成したカード読取装置について、図１から図３を用いて説明する。なお、図３はカード読取装置の動作を示すフローチャートである。
【００１３】
カード通過者がカード読取部１に磁気カード４の磁気ストライプ４ａとカード通過部５に取り付けられた磁気ヘッド６を接触させて磁気カード４を通過させる（Ｓ１）と、磁気ヘッド６の内部コイル両端に電圧が発生し、この電圧波形をＬＳＩ７にて増幅し、波形整形を行なった磁気データと磁気カード４に一定の間隔で書き込まれたクロック信号をＣＰＵ８に送信する。そして、ＣＰＵ８は前記磁気カード４の情報を読み取ることができたか否かを判定する（Ｓ２）。情報の読み取りが出来なかったと判定した場合、ＣＰＵ８は磁気カード４を通過させた速度をＬＳＩ７から得られるクロック信号から算出し、この算出した速度と記憶部（図示せず）に記憶されている読取可能な通過速度の上限速度および下限速度と比較する（Ｓ３）。磁気カード４を通過させた速度が下限速度より遅ければ磁気カード４を通す速度を速くする旨の情報を文字情報表示装置３に表示する、またはスピーカ２からの音声により発することによりカード通過者に報知する（Ｓ４）。また、磁気カード４を通す速度が上限速度より速ければ磁気カード４を通す速度を遅くする旨の情報を文字情報表示装置３に表示する、またはスピーカ２からの音声により発することによりカ
ード通過者に報知する（Ｓ５）。また、磁気カード４を通す速度が上限速度より遅く下限速度より速い所定の速度であるにも関わらず、読み取りができない場合には、磁気カード４が減磁されている場合があるので磁気カード４を通す速度を速くする旨の情報を文字情報表示装置３またはスピーカ２からの音によって、カード通過者に報知する。また、磁気カード４を通すスピードに関係なく磁気情報を読み取ることが出来ない場合を想定し、磁気カード４を通すスピードを文字又は音によりカード通過者に伝達する回数は上限値を定めるものとする。
【００１４】
以上のように、カード通過者が磁気カード４の読み取りを行うためにカード通過部５に磁気カード４を通す際、カード通過速度が所定の速度外であり、読み取りエラーとなった場合には、カード通過者は磁気カード４を速く通すか、遅く通すかの情報を文字情報表示装置３の文字またはスピーカ２からの音声により報知されるため、再度磁気カード４をカード通過部５に通す際にカード通過速度による読み取りエラーを低減できる効果がある。
【００１５】
（実施の形態２）
本実施の形態において、実施の形態１と同様の箇所については同一の符号を付して詳細な説明を省略する。図４において、１０は発光体であり、実施の形態１と異なるのは、実施の形態１の文字情報表示装置３を発光体１０とその横に設けた文字情報に置き換えた点である。そして、本実施の形態において発光体１０は２つ設けており、一方の発光体１０の横には速度を速くすることを促す旨の文字情報が記され、他方の発光体１０の横には速度を遅くすることを促す旨の文字情報が記されている。なお、発光体１０としてはＬＥＤ等を用いる。
【００１６】
以上のように構成したカード読取装置についてその動作を説明する。
【００１７】
カード通過者が磁気カード４の読み取りを行った際、ＣＰＵ８が前記磁気カード４の情報を読み取ることができたか否かを判定し、読み取ることが出来なかったと判定した場合、磁気カード４を通過させる速度が遅ければ、磁気カード４を通す速度を速くする旨の文字情報の側に設けられている発光体１０を点灯する、またはスピーカ２から速くする旨の音声を発することよって、カード通過者に報知する。また、磁気カード４を通過させた速度が速ければ、磁気カード４を通す速度を遅くする旨の文字情報の側に設けられた発光体１０を点灯またはスピーカ２から遅くする旨の音声を発することによって、カード通過者に報知する。
【００１８】
以上により、磁気カード４を通過させる速度による読み取りエラーが発生した際、カード通過者は再度読み取りを行う場合には磁気カード４を速く通すか、遅く通すかの情報を発光体１０またはスピーカ２からの音声により得ることができるので、再度読み取りを行う場合に読み取りエラーとなることを低減することができる。また、発光体１０は実施の形態１における文字情報表示装置３よりも安価なため、費用削減の効果もある。
【００１９】
なお、上記実施の形態１および２において、報知手段を複数設けた例を示しているが、報知手段を各々１つのみ用いるものとしてもよいし、上記した以外の報知手段を設けてもよい。。
【００２０】
また、カードリーダ単体で全ての手段を設けた構成としてもよいし、カードリーダを機器に組み込む場合、その機器全体で全ての手段を設ける構成としてもよい。
【産業上の利用可能性】
【００２１】
本発明のカード読取装置は、カードの読み取りができなかった際に、カード通過者はカードを速く通すか、遅く通すかの情報を得ることができるので、再度カードをカード通過
部に通す際にカード通過速度による読み取りエラー低減することができるものであり、カードを用いて決済やセキュリティー管理を行う分野等において有用である。
【図面の簡単な説明】
【００２２】
【図１】本発明の実施の形態１におけるカード読取装置の概要を示す図
【図２】本発明の実施の形態１におけるカード読取部の構成を示す図
【図３】本発明の実施の形態１におけるカード読取装置の動作の流れを示すフローチャート
【図４】本発明の実施の形態２におけるカード読取装置の概要を示す図
【図５】従来のカードリーダを示す図
【符号の説明】
【００２３】
１  カード読取部
２  スピーカ
３  文字情報表示装置
４  磁気カード
５  カード通過部
６  磁気ヘッド
７  ＬＳＩ
８  ＣＰＵ
９  実装基板
１０  発光体
【図１】
2005122253.tif 000003
【図２】
2005122253.tif 000004
【図３】
2005122253.tif 000005
【図４】
2005122253.tif 000006
【図５】
2005122253.tif 000007